(57)【要約】【課題】  精度のよい電力需要を予測することが可能となる風力発電出力予報情報提供システムを提供する。【解決手段】  風力発電装置２が設置されている地域の気象予報データを基にしてその風力発電装置２の発電出力を予報する風力発電出力予報装置３を備え、この風力発電出力予報装置３が予報する発電出力の予報データをインターネット４を介して情報端末装置５,６に配信する。【選択図】  図１
2005163602.tif 000002
【特許請求の範囲】
【請求項１】
風力発電装置が設置されている地域の気象予報データを基にしてその風力発電装置の発電出力を予報する風力発電出力予報手段を備え、この風力発電出力予報手段が予報する発電出力の予報データを通信手段を介して情報端末手段へ配信することを特徴とする風力発電出力予報情報提供システム。
【請求項２】
前記通信手段は、インターネットを使用することを特徴とする請求項１に記載の風力発電出力予報情報提供システム。
【発明の詳細な説明】
【技術分野】
【０００１】
この発明は、風力発電装置が発電する発電出力を予報する風力発電出力予報手段の予報データを配信する風力発電出力予報情報提供システムに関する。
【背景技術】
【０００２】
従来から、電力需要予測システムが知られている（特許文献１参照）。
【０００３】
かかる電力需要予測システムは、計算機により予測対象日の最大電力の発生する時間帯を推定し、得られた最大電力発生時間帯およびその時間帯についての予報気象データを用いて最大電力を予測するものである。
【特許文献１】特開２０００−２７０４７６号公報
【発明の開示】
【発明が解決しようとする課題】
【０００４】
しかしながら、近年、風力発電装置が各地に設置されており、この風力発電によって電力の一部を賄うようになってきているが、この風力発電装置の発電出力は風によって大きく左右され、時々刻々と変化していくものであり、しかも、その風の強さは地形の影響を大きく受けるため、単純に天気予報から予測することが困難である。このため、従来の電力需要予測システムでは電力需要を予測することができないという問題があった。
【０００５】
この発明の目的は、精度のよい電力需要を予測することが可能となる風力発電出力予報情報提供システムを提供することにある。
【課題を解決するための手段】
【０００６】
請求項１の発明は、風力発電装置が設置されている地域の気象予報データを基にしてその風力発電装置の発電出力を予報する風力発電出力予報手段を備え、この風力発電出力予報手段が予報する発電出力の予報データを通信手段を介して情報端末手段に配信することを特徴とする。
【０００７】
請求項２の発明は、前記通信手段は、インターネットを使用することを特徴とする。
【発明の効果】
【０００８】
この発明によれば、従来、不確実であった風力発電出力を系統運用者が正確に把握できるようになり、需給バランス計画の精度を高めることが可能になり、電力系統の安定運用および経済的な運用に寄与できる。
【発明を実施するための最良の形態】
【０００９】
以下、この発明に係る風力発電出力予報情報提供システムの一実施例を図面に基づいて説明する。
【実施例】
【００１０】
図１に示す風力発電出力予報情報提供システム１は、インターネット４を介して気象庁や気象業務支援センターなどから気象予報データを受信し風力発電装置２の発電出力を予報する風力発電出力予報装置（風力発電出力予報手段）３と、インターネット４を介して風力発電出力予報装置３に接続されている情報端末装置（情報端末手段）５,６等とを備えている。この情報端末装置５,６は例えばパーソナルコンピュータなどから構成されている。なお、風力発電装置２は風力発電事業者が所有し、風力発電出力予報装置３は予報事業者が所有し、情報端末装置５は電力事業者が所有し、情報端末装置６は風力発電事業者が所有している。また、情報端末装置５,６は予報業者が所有してもよい。
【００１１】
風力発電出力予報装置３は、例えば気象庁や気象業務支援センターなどからインターネット４を介して得られる気象データ等から発電出力の予報データ（風力発電予報値）を求め、この求めた予報データ（風力発電予報値と予報対象時刻）をインターネット４を介して予め契約した関係箇所である電力事業者や風力発電事業者などへ配信するようになっている。
【００１２】
すなわち、風力発電出力予報装置３は、風力発電装置２が設置されている地域の数値予報の気象データを基にして、所定時間後の風力発電装置２の発電出力を求め、この求めた発電出力の予報データをインターネット４を介して配信する。風力発電装置２の予報は、例えば現時点から２４時間後までの間を１時間間隔毎の風力発電出力を６時間毎に予報していくものである。
【００１３】
また、風力発電出力予報装置３は、予め天気予報に用いられる所定時間先の数値予報のデータと対応する時刻の風力発電装置２の実績値とから両者を関連づける特性式を求めておき、その特性式に数値予報のデータを入力することにより所定時間先の風力発電出力の予報を行うものである。
【００１４】
上記特性式は、ファジー推論回路またはニューラルネットワーク回路で表したものであり、予め対象となる風力発電装置２の近傍の１カ所または複数箇所の数値予報の気象データと対象時点の風力発電装置２の実績値を風力発電出力予報装置３に入力し、数値予報の気象データから実績値と一致する値が出力されるよう学習を行っておく。
【００１５】
この学習により誤差が十分に低減した後は、数値予報のデータを風力発電出力予報装置３に入力することで、風力発電装置２の出力状況を予報することが可能になる。風力発電出力予報装置３の特性式は、学習により風力発電装置２の設置位置の周辺の地形の因子を内包しており、流体力学に基づく面倒な詳細シュミレーションを行わなくても風力発電装置２の発電出力の予報を精度よく行うことが可能である。
【００１６】
端末情報装置５は、例えば電力系統の司令室に設置され、インターネット４を介して配信される風力発電出力の予報データを入力してディスプレイ５Ａに表示する。電力系統の運用者は、そのディスプレイ５Ａに表示される風力発電装置２の発電出力の予報データと、気象庁や気象業者の気象データ等とを基にして例えば電力需要システムなどを利用して電力需要を予測する。
【００１７】
発電出力が不確実であった風力発電の出力を予測可能にすることで、精度のよい電力需要を予測することが可能となり、電力系統の運用者は、火力発電機のより正確な運用計画を設定することができる。
【００１８】
情報端末装置６は、風力発電装置２の事業者のオフィスに設置され、インターネット４を介して配信される風力発電出力の予報データを入力してディスプレイ６Ａに表示する。事業者は、そのディスプレイ６Ａに表示される風力発電装置２の発電出力の予報データを基にして余剰電力を求め、この余剰電力を相対取引で電力販売を行ったりする。
【００１９】
また、情報端末装置６は、風力発電装置２が発電している風力発電実績値をインターネット４を介して風力発電出力予報装置３へ送信することにより、風力発電出力予報装置３の発電出力の予報の精度を漸次向上させることができる。
【００２０】
情報端末装置６は、風力発電事業者に発電出力の予報が義務づけられる場合などには入力した予報データを目的に応じて加工・処理し、必要なデータを電力系統の情報端末装置５へ送信するようになっている。また、このような場合には、風力発電事業者に代わって風力発電出力予報事業者が直接電力系統の運用者へ出力予報値を送信することもできる。
【００２１】
上記実施例では、インターネット４を利用して発電出力の予報データを配信しているが、公衆回線や専用回線を使用してもよい。いずれの場合でも専用回線以外の通信手段を利用する場合にはパスワードや暗号化などを組み合わせてセキュリテイーを確保する。
【図面の簡単な説明】
【００２２】
【図１】この発明に係る風力発電出力予報情報提供システムを示したブロック図である。
【符号の説明】
【００２３】
２      風力発電装置
３      風力発電出力予報装置
４      インターネット
５      情報端末装置
６      情報端末装置
【図１】
2005163602.tif 000003